(57)【要約】【課題】エネルギー機器の稼動に関連した異なる特定基本情報を表示する３以上の基本画面を効率よく切り替えて表示して利用者に対して同じ重み付けで知らせる。【解決手段】モニターに表示されるエネルギー機器の稼動に関連した異なる特定基本情報をそれぞれ表示する３つ以上の基本画面Ｂを設ける。各基本画面Ｂに基本画面Ｂの表示を変更する基本画面変更手段３８を設ける。いずれかの基本画面Ｂが表示されている状態で基本画面変更手段３８を操作することで、３つ以上の基本画面Ｂ１、Ｂ２……Ｂｎがあらかじめ決められた順番で循環して表示されるという規則性に基づいて次の順番の基本画面ＢがモニターＡに表示される。少なくとも１つ以上の基本画面Ｂに、該基本画面Ｂで表示されるエネルギー機器Ｅに関する特定基本情報に関連した個別詳細情報を表示する詳細画面Ｃに切替える詳細画面切替部４１を設ける。【選択図】図１
2008161037.tif 000002
【特許請求の範囲】
【請求項１】
エネルギー機器の可動状況を表示するモニターであって、モニターに表示されるエネルギー機器の稼動に関連した異なる特定基本情報をそれぞれ表示する３つ以上の基本画面を設け、各基本画面に基本画面の表示を変更する基本画面変更手段を設け、３つ以上の基本画面のいずれかがモニターで表示されている状態で基本画面変更手段を操作することで、基本画面変更手段の操作により３つ以上の基本画面があらかじめ決められた順番で循環して表示されるという規則性に基づいて次の順番の基本画面がモニターに表示され、少なくとも１つ以上の基本画面に、該基本画面で表示されるエネルギー機器に関する特定基本情報に関連した詳細情報を表示する個別詳細画面に切替える詳細画面切替部を設けて成ることを特徴とするエネルギー機器稼動状況表示モニター。
【請求項２】
各基本画面に基本画面の表示を変更する基本画面変更手段として、正循環基本画面変更手段と、逆循環基本画面変更手段とを設け、正循環基本画面変更手段の操作により３つ以上の基本画面をあらかじめ決められた順番で一方向に循環して表示されるという規則性の正循環による表示がなされ、逆循環基本画面変更手段の操作により３つ以上の基本画面が上記正循環とは逆の順番で逆に循環して表示されるという規則性の逆循環により表示がなされることを特徴とする請求項１記載のエネルギー機器稼動状況表示モニター。
【請求項３】
基本画面変更手段の操作によりモニターにおける表示が現在表示されている基本画面から次の基本画面に変更される際、現在表示されている基本画面がモニターにおいて正常表示されている正常表示位置からモニターにおいて左右の一方又は上下の一方に少しずれた状態で表示され、その後、次に表示される基本画面が、上記直前に表示された基本画面の画面切り替えに当ってずれて表示された方向と逆方向に少しずれた状態で表示され、その後、上記次に表示される基本画面がモニターの正常表示位置で表示されることを特徴とする請求項１又は請求項２記載のエネルギー機器稼動状況表示モニター。
【請求項４】
基本画面変更手段の操作によりモニターにおける表示が現在表示されている基本画面から次の基本画面に変更される際、現在表示されている基本画面がフェードアウトし、引き続いて次に表示される基本画面がフェードインして表示されることを特徴とする請求項１乃至請求項３のいずれかに記載のエネルギー機器稼動状況表示モニター。
【発明の詳細な説明】
【技術分野】
【０００１】
本発明は、エネルギー機器稼動状況表示モニターに関するものである。
【背景技術】
【０００２】
従来から、太陽光発電における現時点の発電量と、現時点の消費電力量とを数値で並べて表示すると共に、現時点の発電量＞現時点の消費電力量の場合は、コインが財布に入っていくアニメーション画像を表示し、現時点の消費電力量＞現時点の発電量の場合は、コインが財布から出て行くアニメーション画像を表示するようにしたエネルギー機器稼動状況表示装置が特許文献１により知られている。
【０００３】
ところが、例えば太陽光発電システムにおいて、発電側のエネルギー機器、消費側のエネルギー機器の稼動状況を様々な視点でモニターにおいて表示しようとする場合、利用者に伝えるべき重要な情報が複数種類あり、現時点の発電量と消費電力量、現時点が売電か買電かといった表示以外にも、利用者に知らせなければならない重要な事項が複数あり、太陽光発電システムにおける情報表示としては十分であるとは言えない。
【０００４】
また、太陽光発電システムにおいて、発電側のエネルギー機器、消費側のエネルギー機器の稼動状況に関する複数の異なる特定基本情報をモニターにおいて表示しようとする場合、一つの基本画面のみで表示しようとすると、表示内容が多岐にわたるため、利用者にとって判り難くなり、表示内容を正しく理解できないだけでなく、利用者に対して求めている表示内容を強く印象付けるような表示ができないという問題がある。
【０００５】
そこで、一般的なモニターによる表示は、例えば、モニターの初期画面から複数の異なる特定基本情報を表示する表示内容が異なる下層の基本画面に切り替え表示できるようにし、また、各下層の基本画面からそれぞれ更に各下層の基本画面に対応した更に下層の詳細画面に切り替え表示できるようすることが行われる。
【０００６】
例えば、初期画面に下層の基本画面の選択メニューがあり、この下層の基本画面の選択メニューから任意の下層の基本画面を選択することで、選択された下層の基本画面がモニターに表示されるようにしている。
【０００７】
したがって、従来例あっては、下層の基本画面から別の下層の基本画面に切り替えようとする場合、いったん、初期画面に戻って表示し、初期画面の選択メニューで別の下層の基本画面を選択することで、別の基本画面を表示するという操作が必要であった。
【０００８】
ところが、例えば、複数の異なる特定基本情報を表示する下層の基本画面として、当日の総発電量と総消費量を比較した表示をする発電・消費画面、太陽光発電をモニターして表示する太陽光モニター画面、消費側のエネルギー機器のモニター画面、省エネルギー効果を表示する省エネナビ画面、省エネルギーを行って環境に対して貢献したことを実感できる環境貢献画面等複数ある場合、これらの下層の基本画面で表示される表示内容は、いずれも省エネルギーを動機付ける特定基本情報を表示するために重要であり、また、これらの内容が異なる重要な特定基本情報を利用者の要求に応じてすばやくモニターに表示する必要があるにもかかわらず、上記のように、下層の基本画面から他の下層の基本画面に移る際に、その都度初期画面に戻って選択操作する必要があるので、操作が面倒であり、また、上記基本画面で表示される表示内容がいずれも重要な特定基本情報であるにもかかわらず、その内の幾つかは選択されることなく表示されない場合が多く、重要な情報が利用者に伝えらず、モニター画面を見た利用者に対する省エネルギーに対する動機付けが十分でないという問題がある。
【特許文献１】特開２００２−２９７２２９号公報
【発明の開示】
【発明が解決しようとする課題】
【０００９】
本発明は上記の従来の問題点に鑑みて発明したものであって、エネルギー機器の稼動に関連した異なる特定基本情報を表示する３以上の基本画面を効率よく切り替えて表示して利用者に対して同じ重み付けで知らせることができ、エネルギー機器稼動状況についての重要な複数の特定基本情報を効果的に利用者に知らせることができ、また、各特定基本情報を表示する画面からそれぞれ該当する特定基本情報の詳細情報の画面に変更して各特定基本情報に関する詳細情報を簡単に表示してエネルギー機器稼動状況についての特定基本情報に関する更なる詳細情報を利用者に知らせることができるエネルギー機器稼動状況表示モニターを提供することを課題とするものである。
【課題を解決するための手段】
【００１０】
上記課題を解決するために本発明に係るエネルギー機器稼動状況表示モニターは、エネルギー機器の可動状況を表示するモニターＡであって、モニターに表示されるエネルギー機器の稼動に関連した異なる特定基本情報をそれぞれ表示する３つ以上の基本画面Ｂ（Ｂ１、Ｂ２……Ｂｎ）を設け、各基本画面Ｂに基本画面Ｂの表示を変更する基本画面変更手段３８を設け、３つ以上の基本画面Ｂ１、Ｂ２……ＢｎのいずれかがモニターＡで表示されている状態で基本画面変更手段３８を操作することで、基本画面変更手段３８の操作により３つ以上の基本画面Ｂ１、Ｂ２……Ｂｎがあらかじめ決められた順番で循環して表示されるという規則性に基づいて次の順番の基本画面ＢがモニターＡに表示され、少なくとも１つ以上の基本画面Ｂに、該基本画面Ｂで表示されるエネルギー機器Ｅに関する特定基本情報に関連した詳細情報を表示する詳細画面Ｃに切替える詳細画面切替部を設けて成ることを特徴とするものである。
【００１１】
このような構成とすることで、３つ以上の基本画面Ｂ１、Ｂ２……ＢｎのいずれかがモニターＡで表示されて、エネルギー機器の稼動状況に関連した複数の特定基本情報のうちある１つの特定基本情報が表示されていることで、利用者は当該ある一つの特定基本情報を知ることができる。ここで、利用者が他の特定基本情報を画面を見ようとする場合、基本画面変更手段３８を操作することで、エネルギー機器の可動状況に関連した次の特定情報を表示する基本画面Ｂに直接切り換わることで、当該基本画面Ｂで表示される特定基本情報を次々と知ることができる。すなわち、基本画面変更手段３８を操作することで次の基本画面Ｂに直接切り換わり、このようにして基本画面変更手段３８の操作により３つ以上の基本画面Ｂ１、Ｂ２……Ｂｎがあらかじめ決められた順番で循環して表示されるという規則性に基づいて次の順番の基本画面ＢがモニターＡに表示されるので、従来のようにいちいちメニュー画面に戻ることなく、次々と異なる基本画面を順番に循環して表示してエネルギー機器稼動状況についての重要な複数の特定基本情報を効果的に利用者に知らせることができる。また、特定基本情報を表示する基本画面Ｂから更に当該特定基本情報に関する詳細情報を知りたいときには、詳細画面切替部を操作することで、該基本画面Ｂで表示されるエネルギー機器Ｅに関する特定基本情報に関連した詳細情報を表示する詳細画面Ｃに切替えることができて、利用者に当該特定基本情報に関連した更なる詳細情報を簡単に知ることができる。
【００１２】
また、各基本画面Ｂに基本画面Ｂの表示を変更する基本画面変更手段３８として、正循環基本画面変更手段３８ａと、逆循環基本画面変更手段３８ｂとを設け、正循環基本画面変更手段３８ａの操作により３つ以上の基本画面Ｂ１、Ｂ２……Ｂｎをあらかじめ決められた順番で一方向に循環して表示されるという規則性の正循環による表示がなされ、逆循環基本画面変更手段３８ｂの操作により３つ以上の基本画面が上記正循環とは逆の順番で逆に循環して表示されるという規則性の逆循環により表示がなされることが好ましい。
【００１３】
このような構成とすることで、現在表示されている基本画面Ｂから別の見たいと思っているある特定基本情報を表示する基本画面Ｂに切り替えようとする場合、正循環基本画面変更手段３８ａ、逆循環基本画面変更手段３８ｂのいずれを順番に操作しても目的とする基本画面Ｂを表示することができるが、この場合、複数の基本画面Ｂの正方向循環、逆方向循環のそれぞれの循環表示の順番を覚えておくことで、正循環基本画面変更手段３８ａ、逆循環基本画面変更手段３８ｂのどちらを操作する方が少ない操作回数で目的の基本画面Ｂに切り替えることができるかが理解でき、これにより、より早く目的とする基本画面Ｂに切り替えて表示できる。
【００１４】
また、基本画面変更手段３８の操作によりモニターＡにおける表示が現在表示されている基本画面Ｂから次の基本画面Ｂに変更される際、現在表示されている基本画面ＢがモニターＡにおいて正常表示されている正常表示位置からモニターＡにおいて左右の一方又は上下の一方に少しずれた状態で表示され、その後、次に表示される基本画面Ｂが、上記直前に表示された基本画面Ｂの画面切り替えに当ってずれて表示された方向と逆方向に少しずれた状態で表示され、その後、上記次に表示される基本画面ＢがモニターＡの正常表示位置で表示されることが好ましい。
【００１５】
このような構成とすることで、現在表示されている基本画面Ｂから次の基本画面Ｂに切り替えるに当って、あたかも巻物をモニターＡの画面上で左から右（又は右から左、又は下から上、又は上から下）に巻きながら現在表示されている基本画面から次の基本画面にある決まった順番で表示変更をしているかのように見せることができ、基本画面Ｂの切り替え表示の際に前後の基本画面Ｂの連続性を視覚的に意識させるような表示ができ、切り替え動作の最後に動いてきた次の基本画面ＢがモニターＡの正常位置に位置することで、次の基本画面Ｂの正常位置における表示を強く利用者に認識させることができて、表示効果を上げることができる。
【００１６】
また、基本画面変更手段の操作によりモニターにおける表示が現在表示されている基本画面から次の基本画面に変更される際、現在表示されている基本画面がフェードアウトし、引き続いて次に表示される基本画面がフェードインして表示されることが好ましい。
【００１７】
このような構成とすることで、現在表示されている基本画面Ｂから次の基本画面Ｂに切り替えるに当って、前後の基本画面Ｂの連続性を視覚的に意識させるような表示ができ、切り替え動作の最後に次の基本画面Ｂがフェードインして表示されることで、次の基本画面Ｂの表示を強く利用者に認識させることができて、表示効果を上げることができる。
【発明の効果】
【００１８】
本発明は、上記のように、モニターでエネルギー機器の稼動に関連した異なる特定基本情報のうちある特定基本情報を表示するある一つの基本画面から他の特定基本情報を表示する他の基本画面に切り替える際、従来のように、いちいちメニュー画面に戻ることなく、エネルギー機器の稼動に関連した異なる特定基本情報を表示する３以上の基本画面を効率よく切り替えて利用者に対して同じ重み付けで表示して、エネルギー機器稼動状況についての重要な複数の特定基本情報を効果的に利用者に知らせることができ、これにより、利用者は、エネルギー機器稼動に関する複数の特定基本情報を簡単な操作で次々と知ることができて、複数の特定基本情報をモニターの表示で与えられることで利用者に省エネルギーに対しての強い動機付けを与えることができる。また、各特定基本情報を表示する画面
からそれぞれ該当する特定基本情報の詳細情報の画面に変更して各特定基本情報に関する詳細情報を簡単に表示してエネルギー機器稼動状況についての特定基本情報に関する更なる詳細情報を利用者に知らせることができる。
【発明を実施するための最良の形態】
【００１９】
以下、本発明を添付図面に示す実施形態に基いて説明する。
【００２０】
本発明は家庭や事業所において利用されるエネルギー機器の稼動状況をモニターで表示するようにしたものであるが、以下の実施形態では家庭や事業所におけるエネルギー機器として太陽光発電システムで用いられるエネルギー機器を例として説明している。
【００２１】
図２には太陽光発電システムの概略構成図が示してある。太陽光発電システムは、太陽電池１２により太陽光発電した電力を家庭や事業所内の電力として利用するとともに、太陽光発電における発電量が消費電力よりも大きい場合（つまり余剰電力が生じた場合）は電力会社に売電し、曇りや雨あるいは夜間のように十分な太陽光発電ができなかったり、あるいは太陽光発電が不能となったりして太陽光発電における発電量が消費電力よりも小さい場合は不足分を電力会社から買電するようにしたシステムである。
【００２２】
図２において、１２は発電側のエネルギー機器である太陽電池、１３は太陽電池１２による太陽光発電の制御を行うパワーコンディショナであって、電力測定ユニット１３ａを備えている。また、１４は太陽光発電電力系統線、電力会社からの商用電力系統線が接続された分電盤であって解列開閉器、電流センサ１４ａ等が設けてあり、１５は分電盤１４を介して供給される電力を消費する負荷（つまり、テレビ、冷蔵庫、電気温水器１５ａ等の消費側のエネルギー機器）であり、Ａは発電側のエネルギー機器である太陽電池１２の稼動状況や消費側のエネルギー機器である負荷１５の稼動状況を表示するためのモニターである。
【００２３】
上記パワーコンディショナ１３は太陽電池１２で発生した電気（直流）を交流２００Ｖに変換し、また、商用側の電力品質に影響を与えないようにするための制御を行い、更に、電力測定ユニット１３ａにより分電盤１４に設けた電流センサ１４ａからの情報に基づいて発電量、売／買電力を測定し、これらの太陽光発電に関する諸情報をモニターＡにデータを送信するようになっている。
【００２４】
また、図２の実施形態では負荷１５である消費側のエネルギー機器の一つの電気温水器１５ａの稼動状況の情報もモニターＡに送信されるようになっている。
【００２５】
モニターＡにはモニター制御部１８が設けてあり、上記送信されたデータを演算処理して発電及び電力消費状況（つまり、発電側、消費側のエネルギー機器の稼動状況）をモニターＡに画面として表示するようになっている。
【００２６】
本発明において、モニターＡに表示される画面としては、エネルギー機器の稼動に関連した異なる特定基本情報をそれぞれ表示する３つ以上の基本画面Ｂ（Ｂ１、Ｂ２……Ｂｎ）、基本画面Ｂに表示された特定基本情報に関する更なる詳細情報を表示する詳細画面Ｃとに大別される。
【００２７】
図１にはモニターＡに画面として表示する複数の異なる画面（基本画面Ｂ、詳細画面Ｃ）それぞれの関連を示す構成図が示してある。
【００２８】
モニターＡに表示される３つ以上の基本画面Ｂは、エネルギー機器の稼動（実施形態においては太陽発電システムの稼動）に関連した３つ以上の特定基本情報を表示する画面である。図１の実施形態では、太陽発電システムの稼動に関連した５つの異なる重要な特定基本情報を５つの異なる基本画面Ｂ（Ｂ１、Ｂ２、Ｂ３、Ｂ４、Ｂ５）で表示するようにした例を示している。
【００２９】
すなわち、図１の実施形態においては、基本画面Ｂ１（発電及び電力消費状況を表す発電・消費画面Ｂ１）、基本画面Ｂ２（その日の時間毎の発電量、電力消費量を表す太陽光モニター画面Ｂ２）、基本画面Ｂ３（消費側のエネルギー機器の一つである電気温水器の稼動状態を表示する電気温水器モニター画面Ｂ３）、基本画面Ｂ４（省エネルギーに関する基本情報を表示する省エネナビ画面Ｂ４）、基本画面Ｂ５（省エネ効果が上がって場合に環境に対して貢献していることをいることを表示する環境貢献画面Ｂ５）の５つの基本画面Ｂがある。各基本画面Ｂ１、Ｂ２、Ｂ３、Ｂ４、Ｂ５の詳細はそれぞれ図３乃至図８に示している。
【００３０】
各基本画面Ｂ１、Ｂ２、Ｂ３、Ｂ４、Ｂ５にはいずれも画面の上端部及び下端部に沿ってそれぞれ上下巾の狭い上バー状表示部２２と下バー状表示部２３とが設けてあり、この上バー状表示部２２と下バー状表示部２３との間が主表示部Ｄとなっていて各基本画面Ｂ１、Ｂ２、Ｂ３、Ｂ４、Ｂ５毎に表示内容が異なっている。なお、各基本画面Ｂ１、Ｂ２、Ｂ３、Ｂ４、Ｂ５にそれぞれ表示した主表示部Ｄにおける表示内容については後述する。
【００３１】
各基本画面Ｂ１、Ｂ２、Ｂ３、Ｂ４、Ｂ５に設けた上バー表示部２２には太陽光発電の運転状態（つまり発電中か停止中かといった状態）を表示する運転状態表示部３２、現在表示している画面をアイコンで表示する現在画面表示部３３、２４時間時計表示部３４、カレンダー・時刻数値表示部４２等を設けて基礎情報を表示するようになっている。
【００３２】
各基本画面Ｂ１、Ｂ２、Ｂ３、Ｂ４、Ｂ５に設けた下バー表示部２３は他の画面に切り替え又は当該画面を一部切り替えるための切り替え手段が設けられる部分となっており、下バー表示部２３には別の基本画面Ｂに切り替えるための基本画面変更手段３８が設けてあり、更に、下バー状表示部２３には発電・消費画面Ｂ１における表示の一部を切り替えたり、発電・消費画面Ｂ１を画面上に残したまま、この発電・消費画面Ｂ１の上に重なるようにポップアップ画面を表示するための切替部４０、発電・消費画面Ｂ１で表示した内容をより詳細に表示する詳細画面への切り替えるための詳細画面切替部４１が設けてある。
【００３３】
添付図面に示す実施形態においては、各基本画面Ｂに設けた下バー表示部２３の左右両端部に基本画面変更手段３８が設けてある。ここで、右端部の切り替え操作部３８が正循環基本画面変更手段３８ａとなり、左端部の右端部の切り替え操作部３８が逆循環基本画面変更手段３８ｂとなっていて「→」、「←」で表示された操作釦により構成してある。
【００３４】
ここで、本発明においては、上記５つの基本画面Ｂ１、Ｂ２、Ｂ３、Ｂ４、Ｂ５のいずれかがモニターＡで表示されている状態でモニターＡに表示された基本画面Ｂにおいて基本画面変更手段３８を操作することで、５つの基本画面Ｂ１、Ｂ２、Ｂ３、Ｂ４、Ｂ５があらかじめ決められた順番で循環して表示されるという規則性に基づいて次の順番の基本画面ＢがモニターＡに表示されるようになっている。
【００３５】
すなわち、図１に示す実施形態において、今、モニターＡに任意の基本画面Ｂ（例えば基本画面Ｂ１）が表示されているとした場合、基本画面Ｂ１の正循環基本画面変更手段３８ａを指先でタッチする等の操作をすると画面が基本画面Ｂ２に切り換わって表示され、更に、基本画面Ｂ２の正循環基本画面変更手段３８ａを操作すると画面が基本画面Ｂ３に切り換わって表示され、同様にして正循環基本画面変更手段３８ａを操作することで、次々とあらかじめ決められて順番で画面表示がなされ、基本画面Ｂｎ（実施形態ではＢｎ＝Ｂ５）の正循環基本画面変更手段３８ａを操作すると画面が基本画面Ｂ１に切り換わって表示され、……というように正循環基本画面変更手段３８ａの操作により３つ以上の基本画面Ｂをあらかじめ決められた順番で一方向に循環して表示する（Ｂ１→Ｂ２→Ｂ３→……Ｂｎ−１→Ｂｎ→Ｂ１→Ｂ２……）という規則性の正循環による表示（正循環基本画面変更手段３８ａを示す「→」で示す方向の順番による表示）がなされるようにモニター制御部１８により表示が制御されるようになっている。
【００３６】
一方、モニターＡに任意の基本画面Ｂ（例えば基本画面Ｂ１）が表示されているとした場合、基本画面Ｂ１の逆循環基本画面変更手段３８ｂを操作すると画面が基本画面Ｂｎ（実施形態ではＢｎ＝Ｂ５）に切り換わって表示され、更に、基本画面Ｂｎ（Ｂ５）の逆循環基本画面変更手段３８ｂを操作すると画面が基本画面Ｂｎ−１（実施形態ではＢ４）に切り換わって表示され、同様にして逆循環基本画面変更手段３８ｂを操作することで、次々とあらかじめ決められて逆方向の順番で画面表示がなされ、……基本画面Ｂ２の逆循環基本画面変更手段３８ｂを操作すると画面が基本画面Ｂ１に切り換わって表示され、……というように逆循環基本画面変更手段３８ｂの操作により３つ以上の基本画面Ｂをあらかじめ決められた逆方向の順番で逆方向に循環して表示する（Ｂ１→Ｂｎ→Ｂｎ−１→……→Ｂ２→Ｂ１→……）という規則性の逆循環による表示（逆循環基本画面変更手段３８ｂを示す「←」で示す方向の順番による表示）がなされるというようにモニター制御部１８により表示が制御されるようになっている。
【００３７】
このように３つ以上の基本画面Ｂ１、Ｂ２……ＢｎのいずれかがモニターＡで順番に循環して表示されるので、エネルギー機器の可動状況に関連した複数の特定基本情報のうちある１つの特定基本情報が基本画面ＢとしてモニターＡに表示されることになり、利用者はモニターＡを見ることで現在表示されているある特定基本情報を知ることができる。
【００３８】
そして、利用者は、上記複数の基本画面Ｂのいずれか一つがモニターＡに表示されている状態で、他の特定情報を表示する基本画面Ｂを見たい場合には、上記のように基本画面変更手段３８（図１の実施形態では正循環基本画面変更手段３８ａ又は逆循環基本画面変更手段３８ｂのいずれか）を操作することで、エネルギー機器の可動状況に関連した他の特定情報を表示する基本画面Ｂに直接切り換えることができ、当該基本画面Ｂで表示される他の特定基本情報を知ることができる。更に、モニターＡの画面として表示された基本画面Ｂの基本画面変更手段３８を次々と操作することで次の基本画面Ｂ、更に次の基本画面Ｂ……と、あらかじめ決められた順番で循環して表示されるという規則性に基づいてモニターＡに表示されるので、従来のようにいちいちメニュー画面に戻ることなく、次々と異なる基本画面Ｂを順番に循環して表示してエネルギー機器稼動状況についての重要な複数の特定基本情報を効果的に利用者に知らせることができることになる。
【００３９】
しかも、現在表示されている基本画面Ｂから別の見たいと思っているある特定基本情報を表示する基本画面Ｂに切り替えようとする場合、正循環基本画面変更手段３８ａ、逆循環基本画面変更手段３８ｂのいずれを順番に操作しても目的とする基本画面Ｂを表示することができるが、複数の基本画面Ｂの正方向循環、逆方向循環のそれぞれの循環表示の順番を覚えておくことで、正循環基本画面変更手段３８ａ、逆循環基本画面変更手段３８ｂのどちらを操作する方が少ない操作回数で目的の基本画面Ｂに切り替えることができるかが理解でき、これにより、より早く目的とする基本画面Ｂへの切り替えることができて操作が簡略化し、素早く目的とする基本画面ＢをモニターＡに表示して目的とする特定基本情報を知ることができる。
【００４０】
ここで、本発明においては、図９（ａ）のように現在モニターＡに表示されているある基本画面Ｂｎ−１（主表示部Ｄに「ＸＸＸ」と表示してある）の基本画面変更手段３８を操作して（ここでは正循環基本画面変更手段３８ａを操作して）次の基本画面Ｂｎ（主表示部Ｄに「ＹＹＹ」と表示する）に切り替えて表示しようとする際、現在表示されている基本画面Ｂｎ−１の主表示部Ｄにおいて「ＸＸＸ」が正常表示されている図９（ａ）の正常表示位置から、基本画面Ｂｎ−１の主表示部Ｄにおける「ＸＸＸ」の表示位置がモニターＡにおいて左右の一方又は上下の一方に段階的に少しずつずれた状態で順に表示され（図９においては、図９（ａ）→図９（ｂ）→図９（ｃ）というように段階的に少しずつ右側にずれた状態で表示され）、その後、図９（ｄ）のように主表示部Ｄにおける「ＸＸＸ」の表示が消え、引き続き、図９（ｅ）のように次に表示される基本画面Ｂｎが表示されるが、この図９（ｅ）の段階においては基本画面Ｂｎの主表示部Ｄにおける「ＹＹＹ」という表示が消えた状態で表示され、次に、図９（ｆ）のように基本画面Ｂｎの主表示部Ｄに「ＹＹＹ」という表示が正常な表示位置に対して左側にずれた状態で表示され、次に、図９（ｆ）の状態から図９（ｇ）のように基本画面Ｂｎの主表示部Ｄにおける「ＹＹＹ」という表示が図９（ｆ）よりも少し右側にずれた状態で表示され、次に、図９（ｇ）の状態から図９（ｈ）のように基本画面Ｂｎの主表示部Ｄにおける「ＹＹＹ」という表示が更に図９（ｆ）よりも少し右側ずれた状態で表示されて主表示部Ｄにおける「ＹＹＹ」の正常表示位置となる。
【００４１】
このように、図９（ａ）→（ｂ）→（ｃ）→（ｄ）という順番で基本画面Ｂｎ−１における主表示部Ｄの表示「ＸＸＸ」が順番に画面上、左から右（又は右から左、又は下から上、又は上から下）に向けてずれて表示されるように切り替え制御され、引き続いて、図９（ｅ）→（ｆ）→（ｇ）→（ｈ）という順番で基本画面Ｂ−１における主表示部Ｄの表示「ＹＹＹ」が順番に画面上、左から右（又は右から左、又は下から上、又は上から下）に向けてずれて表示されるように切り替え制御される。
【００４２】
このような順序で表示切り替えを行うことで、あたかも巻物をモニターＡの画面上で左から右（又は右から左、又は下から上、又は上から下）に巻きながら、現在表示されている基本画面Ｂｎ−１から次の基本画面Ｂｎを表示しているように見せることができ、基本画面Ｂの切り替え表示の際に前後の基本画面Ｂとの連続性を視覚的に意識させるような表示ができ、切り替え動作の最後に動いてきた次の基本画面ＢがモニターＡの正常位置に位置することで、次の基本画面Ｂの正常位置における表示を強く利用者に認識させることができて、表示効果を上げることができることになる。
【００４３】
また、本発明においては、図９（ａ）のように現在モニターＡに表示されているある基本画面Ｂｎ−１（主表示部Ｄに「ＸＸＸ」と表示してある）を基本画面変更手段３８を操作して（ここでは正循環基本画面変更手段３８ａを操作して）次の基本画面Ｂｎ（主表示部Ｄに「ＹＹＹ」と表示する）に切り替えようとする際、上記のような巻物を巻いて順番に表示するような表示形態に加え、同時に図９（ａ）→（ｂ）→（ｃ）→（ｄ）というように、現在表示されている基本画面Ｂｎ−１の主表示部Ｄにおける「ＸＸＸ」という表示がフェードアウトし、引き続いて次に表示される基本画面Ｂｎの主表示部Ｄにおける「ＹＹＹ」という表示が図９（ｅ）→（ｆ）→（ｇ）→（ｈ）というようにフェードインして表示されるようにモニター制御部１８により表示切り替えが制御されるようになっている。
【００４４】
このような順序で表示切り替えを行うことで、現在表示されている基本画面Ｂｎ−１から次の基本画面Ｂｎに切り替えるに当って、前後の基本画面Ｂｎ−１から基本画面ｎの連続性を視覚的に意識させるような表示ができ、切り替え動作の前半がフェーアウトし、切り替え動作の後半がフェードインして表示されることで、次の基本画面Ｂｎの表示を強く利用者に認識させることができて、表示効果を上げることができることになる。
【００４５】
なお、上記実施形態では、基本画面Ｂｎ−１から基本画面Ｂｎに巻物を巻くような切り替え表示となるように切り替えるに当って、基本画面Ｂｎ−１、Ｂｎにおける上バー表示部２２のフレーム、下バー表示部２３のフレームを変更することなく、主表示部Ｄの基本画面Ｂｎ−１、基本画面Ｂｎの各主表示部Ｄのフレームを変更することで、基本画面Ｂｎ−１から基本画面Ｂｎに切り替えるようにしているが、主表示部Ｄの基本画面Ｂｎ−１、基本画面Ｂｎの各主表示部Ｄのフレームの変更に加え、主表示部Ｄの基本画面Ｂｎ−１、基本画面Ｂｎの各上バー表示部２２のフレーム、下バー表示部２３のフレームもそれぞれ変更して、巻物を巻くような切り替え表示となるように切り替えてもよい。
【００４６】
また、各基本画面Ｂにはそれぞれ当該基本画面Ｂにおいて表示される特定基本情報に関連した個別詳細情報を表示する詳細画面Ｃに表示変更するための詳細画面切替部４１が設けてある。
【００４７】
すなわち、各基本画面Ｂにおいて詳細画面切替部４１を指先でタッチする等の操作をすることで、該当する基本画面Ｂにおける表示に関連した詳細画面Ｃが表示されるようにモニター制御部１８により表示切り替えが制御される。また、詳細画面Ｃに設けた画面復帰用操作部３９ａを操作することで、モニター制御部１８により該当する基本画面Ｂに表示切り替えが制御されるようになっている。
【００４８】
ここで、詳細画面Ｃが複数ある場合、階層的に画面を切り替えて表示できるようにしてもよい。つまり、該当する基本画面Ｂにおける表示に関連した詳細画面Ｃ１に切り替え表示した場合、詳細画面Ｃ１に設けた下層画面表示操作部３９ｂを操作することで、更に下層の詳細画面Ｃ２に画面を切り替え表示するようになっており、下層の詳細画面Ｃ２に設けた画面復帰用操作部３９ａを操作することで、上層の詳細画面Ｃ１又は該当する基本画面Ｂに画面を切り替え表示するようになっている。
【００４９】
また、各基本画面Ｂには基本画面Ｂの一つである発電・消費画面Ｂ１と同様に表示を該当する基本画面Ｂの一部の表示を切り替えたり、該当する基本画面Ｂを画面上に残したまま、この発電・消費画面Ｂ１の上に重なるようにポップアップ画面表示をするための切替部４０を設けてもよい。
【００５０】
また、本発明において、３つ以上の複数の基本画面Ｂの一つがモニターＡに電源を投入した際に、モニターＡ画面として最初に表示される初期画面となっている。例えば、モニターＡに電源を投入すると自動的に基本画面Ｂ１が表示されるようになっている。その後、基本画面変更手段３８を操作して設定された順番に基づいて次々と異なる基本画面Ｂを順番に循環表示するのであるが、ここで、複数の基本画面Ｂのうち現在ある基本画面Ｂが表示されている場合、当該基本画面Ｂに設けられた基本画面変更手段３８を操作しないかぎり、当該基本画面ＢがそのままモニターＡに表示され続けるようになっている。したがって、この実施形態においては、現在表示されている基本画面Ｂを出発画面として他の基本画面Ｂに画面変更を行うという意味で、現時点においては、常に現時点でモニターＡに表示されている基本画面Ｂが初期画面として機能する。
【００５１】
もちろん、いずれの基本画面Ｂが現在表示されている場合でも、表示切り替えからある所定時間が経過すると（例えば３０分）、自動的にある特定の基本画面Ｂに表示切り替えが自動的になされるようにしてもよい。
【００５２】
また、図１に示す実施形態においては各基本画面Ｂにそれぞれ基本画面変更手段３８として正循環基本画面変更手段３８ａと逆循環基本画面変更手段３８ｂとを設けたが、図１０に示すように基本画面変更手段３８として正循環基本画面変更手段３８ａ又は逆循環基本画面変更手段３８ｂのいずれか一方のみを設けたものであってもよい。
【００５３】
本発明において、各基本画面Ｂの上端部に設けた上バー状表示部２２には太陽光発電の運転状態（つまり発電中か停止中かといった状態）を表示する運転状態表示部３２、現在表示している画面をアイコンで表示する現在画面表示部３３、２４時間時計表示部３４、カレンダー・時刻数値表示部４２が設けてある。
【００５４】
２４時間時計表示部３４は帯状をしており、帯状の長手方向の一端（図においては左側端）が始端時刻表示部３４ａ（例えば午前０時を表す部分）となり且つ長手方向の他端が終端時刻表示部３４ｂ（例えば午後１２時を表す部分）となっている。
【００５５】
この帯状をした２４時間時計表示部３４には始端時刻表示部３４ａ側から終端時刻表示部３４ｂ側にかけて表示位置を変更しながら２４時間時計表示部３４の現在時刻に対応した位置で現在時刻を表示する現在時刻表示印３５が設けてあり、添付図面に示す実施形態では現在時刻表示印３５は縦線として表示される。つまり、縦線として表示される現在時刻表示印３５が帯状をした２４時間時計表示部３４の時計の針として機能し、該針の位置を見ることで、現在時刻を知ることができるようになっている。
【００５６】
そして、上記帯状の２４時間時計表示部３４はあらかじめ設定された電力料金が異なる複数の時間帯に分割して複数の分割時間帯表示部３６ａ、３６ｂ，３６ｃに区分けしてあり、複数の分割時間帯表示部３６ａ、３６ｂ、３６ｃは表示色をそれぞれ異ならせてある（なお、複数の分割時間帯表示部３６ａ、３６ｂ、３６ｃの表示色をそれぞれ異ならせるに当っては、色相、明度、彩度のいずれか一つの要素又は複数の要素を異ならせる）。
【００５７】
したがって、２４時間時計表示部３４における現在時刻表示印３５の位置を知ることで、現在時刻が複数の分割時間帯表示部３６ａ、３６ｂ，３６ｃのどこに位置しているかが一目で判るようになっており、また、現在の電力料金の時間帯から電力料金が異なる次の時間帯に変更するまでのあとどのくらいの時間があるかが判るようになっている。
【００５８】
ここで、現在時刻表示印３５がある分割時間帯表示部（例えば３６ａ）で現在時刻を表示している時、次の分割時間帯表示部（例えば３６ｂ）の表示に切り換わるあらかじめ設定した一定時間前（例えば３０分前）になると、現在時刻表示印３５による表示が異なる表示（例えば点滅表示や異なる色表示）となる。これにより、後、何分又は何時間で電力料金が変わるということが強く利用者に印象付けられ、もう少しで電力料金が高くなるというような場合は、消費側のエネルギー機器の使用を済ませてしまう（例えば電気掃除機や洗濯機やエアコン等の使用を早く済ませてしまう）といった行動や、あるいは、もう少しで電力料金が安くなるというような場合は、消費側のエネルギー機器の使用を電力料金が安くなるまで待つ（例えば電気掃除機や洗濯機やエアコン等の使用を少し待つ）といった行動を使用者に取らせるための動機付け（省エネルギーに対する強い動機付け）が与えられることになる。
【００５９】
また、各基本画面Ｂには、現在時刻表示印３５が一つの分割時間帯表示部（例えば３６ａ）のある位置で現在時刻を表示している時、次の分割時間帯表示部（例えば３６ｂ）の表示に切り換わるあらかじめ設定した一定時間前（例えば３０分前）になると、発電・消費画面Ｂ１に「後３０分で料金が高くなります」、あるいは「後３０分で料金が安くなります」というように、後どれだけの時間が経過すると現在の料金時間帯から異なる料金時間帯に切り替わることを文字・数値で表示する時間帯変更予告表示部３７が設けてある。この場合、あらかじめ決められた時間（例えば３分）が経過する毎に時間帯が切り替わるまでの残りの時間を、「後３０分で料金が高くなります」、「後２７分で料金が高くなります」、「後２４分で料金が高くなります」……というように次々と切り替えて文字・数値で表示する。
【００６０】
この場合も前述と同様、省エネルギーに対する強い動機付けを利用者に与えることができる。
【００６１】
もちろん、上記現在時刻表示印３５の表示の変化と上記時間帯変更予告表示部３７における文字・数字による予告表示との両方で表示することで、より強く省エネルギーに対する強い動機付けを利用者に与えることができる。
【００６２】
次に、各基本画面Ｂ１、Ｂ２、Ｂ３……Ｂｎの各中央部に設けられた主表示部Ｄにはそれぞれ太陽光発電システムに関する異なる特定基本情報が表示される。
【００６３】
以下、主表示部Ｄに表示する太陽光発電システムに関する異なる特定基本情報の例として図３に基づいて発電及び電力消費状況を表す発電・消費画面Ｂ１における主表示部Ｄの表示について説明する。
【００６４】
図３に示す発電・消費画面Ｂ１の中央部の主表示部Ｄには、発電に関する情報を表示する発電情報表示部１と、消費に関する情報を表示する電力消費情報表示部２とを隣接して設けてある。図３に示す実施形態においては、発電情報表示部１と電力消費情報表示部２とが左右に隣接して並んでおり、発電情報表示部１と電力消費情報表示部２とは画面上の大きさが同じ又は略同じ大きさとなっている。また、添付図面に示す実施形態では発電・消費画面Ｂ１の左右方向の一端部には消費側のエネルギー機器の一つである電気温水器の稼動状態を示す電気温水器稼動状態表示部２１となっている。発電情報表示部１、電力消費情報表示部２はいずれも電気温水器稼動状態表示部２１よりも横幅が広く、発電情報表示部１、電力消費情報表示部２における表示が目立つように構成してある。
【００６５】
隣接する発電情報表示部１と電力消費情報表示部２にはそれぞれ当日の基準となるカウント開始時刻から現在時刻までの総発電量と、総消費量とをそれぞれ棒表示３ａ、４ａで表示する棒グラフ表示部３、４が設けてある。添付図面に示す実施形態では発電情報表示部１の全領域が棒グラフ表示部３となり、電力消費情報表示部２の全領域が棒グラフ表示部３となっている。もちろん、各棒グラフ表示部３、４が発電情報表示部１と電力消費情報表示部２の境界を介して左右に隣接するように構成されるものであれば、各棒グラフ表示部３、４がそれぞれ発電情報表示部１、電力消費情報表示部２の一部に形成してあってもよい。
【００６６】
また、上記棒グラフ表示部３、４は発電情報表示部１と電力消費情報表示部２の各下端、つまり、発電情報表示部１、電力消費情報表示部２と下バー状表示部２３との境界がゼロとなる基準線となっていて、当日の基準となるカウント開始時刻（実施形態では午前０時をカウント開始時刻としている）から現在時刻までの総発電量と、総消費量とをそれぞれ棒表示３ａ、４ａで表示するようになっており、その表示は上記棒グラフ表示部３、４を下から上に向けて棒表示が伸びるように構成してある。したがって、当日の基準となるカウント開始時刻から現在時刻までの総発電量と、総消費量とに差がある場合、その差は上記棒表示３ａの上端と、棒表示４ａの上端との差として表されることになる。
【００６７】
上記棒グラフ表示部３に表示される棒表示３ａ内は、当日の現在時刻までに発電した電気のうち消費した消費量７と、当日の現在時刻までに発電した電気のうち売電した売電量８とに分割して表示されるようになっており、また、棒グラフ表示部４に表示される棒表示４ａ内は、当日の現在時刻までに消費した電気のうち発電した電気を消費した消費量７と、当日の現在時刻までに買電した電気の買電量９とに分割して表示するようになっている。当日の現在時刻までに消費した電気のうち発電した電気を消費した消費量７は両棒表示３ａ、４ａ内の下側に表示され、棒表示３ａ内の上側（つまり当日の現在時刻までに発電した電気のうち消費した消費量７の表示の上側）には売電量８が表示され、棒表示４ａ内の上側（つまり当日の現在時刻までに発電した電気のうち消費した消費量７の表示の上側）には買電量９が表示される。
【００６８】
上記のように、（棒グラフ表示部３に表示される棒表示３ａの長さ＝（棒表示３ａにおける当日の現在時刻までに発電した電気のうち消費した消費量７に相当する分の長さ）＋（棒表示３ａにおける当日の現在時刻までに発電した電気のうち売電した売電量８に相当する分の長さ）として表示され、また、（棒グラフ表示部４に表示される棒表示４ａの長さ）＝（棒表示４ａにおける当日の現在時刻までに発電した電気のうち消費した消費量７に相当する長さ）＋（棒表示４ａにおける当日の現在時刻までに消費した電気のうち買電した買電量９に相当する長さ）として表示されることになる。
【００６９】
したがって、上記隣接する棒表示３ａと棒表示４ａとの差は前述のように、当日の基準となるカウント開始時刻から現在時刻までの総発電量と総消費量との差として認識されると共に、同時に、当日の基準となるカウント開始時刻から現在時刻までの売電量と買電量の差としても認識されることになる。
【００７０】
このように、隣接する両棒表示３ａ、４ａの差を見るだけで、当日の現在時刻までの総発電量と総消費量との差と、売電量と買電量の差が視覚的に一目瞭然に強く認識され、総発電量と総消費量との差や、売電量と買電量の差が予想よりも違う場合など、視覚的に「省エネルギーをしなければならない」という強い省エネルギーのための動機付けを利用者に与えることになる。
【００７１】
ところで、棒グラフ表示部３、４にそれぞれ表示される棒表示３ａ、４ａはそれぞれ総発電量、総消費量が増えるにしたがって下から上に伸びていくが、棒表示３ａ、４ａは、棒グラフ表示部３、４の上端である発電情報表示部１、電力消費情報表示部２の上端までしか表示できず、このため、総発電量又は総消費量が増えて棒グラフ表示部３の上端又は棒グラフ表示部４の上端が棒グラフ表示部３又は棒グラフ表示部４の上端に至ると、棒グラフ表示部３、棒グラフ表示部４に表示する棒表示３ａ、４ａの表示の比率が小さくなるように変更して表示するようになっている。例えば、初めに棒グラフ表示部３、４の上端である発電情報表示部１、電力消費情報表示部２の上端をそれぞれ１０ｋＷを表示する部分に設定してあるとした場合、総発電量又は総消費量のいずれかが先に１０ｋＷになると棒グラフ表示部３、４の上端である発電情報表示部１、電力消費情報表示部２の上端が例えば２０ｋＷを表示する部分となり、両棒グラフ表示部３、４に表示される両棒表示３ａ、４ａの高さが１／２に縮小表示されることになり、以降は総発電量、総消費量が増加していくにしたがって上記縮小された割合で両棒グラフ表示部３、４が上に伸びていくことになる。
【００７２】
発電情報表示部１の上部には更に現在発電量数値表示部５が設けてあって、現在時刻における発電量と消費量を数値で表示するようになっており、電力消費情報表示部２の上部には現在消費量数値表示部６が設けてあって、現在時刻における電力消費量を数値で表示するようになっている。上記現在発電量数値表示部５と現在消費量数値表示部６とは左右に隣あって表示されるようになっており、したがって、左右に隣り合った現在発電量数値表示部５と現在消費量数値表示部６に表示された数値を見ることで現在時刻における発電量と消費量を知ることができると同時に左右見比べることで、現在時刻において発電量と消費量のどちらが多いかが直ぐに理解できるようになっている。
【００７３】
また、隣接する発電情報表示部１のほぼ中央部に現在時刻における発電状態を表すための発電表示アイコン１０を設けると共に電力消費情報表示部２のほぼ中央部に現在時刻における消費電力状態を表すための消費表示アイコン１１を設けてある。この発電表示アイコン１０、消費表示アイコン１１は現時点（現在時刻）における発電、消費の状態が売電時である場合は発電表示アイコン１０を消費表示アイコン１１よりも大きく表示し、且つ、現時点における発電量と消費量とが均衡している場合は発電表示アイコン１０と消費表示アイコン１１を同じ大きさで表示し、且つ、現時点が買電時である場合は消費表示アイコン１１を発電表示アイコン１０よりも大きく表示するように制御するようになっている。これにより現在時刻における発電量と消費量のどちらが多いか（つまり、売電状態か、買電状態か、均衡状態か）が視覚的に直ぐわかるようになっており、消費表示アイコン１１を発電表示アイコン１０を見ることと、上記発電表示アイコン１０、消費表示アイコン１１の各上方向の現在発電量数値表示部５、現在消費量数値表示部６に表示された現在時刻における発電量と消費量の数値を見ることにより現在時刻における発電、消費の状況が一目で理解でき、この点でも利用者に省エネルギーに対する強い動機付けを与えることができる。
【００７４】
発電情報表示部１と電力消費情報表示部２の下部にわたって多数の玉が並んだ玉線状の電気流れ表示部３０が設けてあり、該玉線状の電気流れ表示部３０は発電表示アイコン１０と消費表示アイコン１１につながっており、玉線状の電気流れ表示部３０において、売電時は各玉の表示をある色（例えば緑）で発色表示すると共に該発色表示が左側に向けて順次発色表示するようにし、一方、買電時は各玉の表示を別のある色（例えば青）で発色表示すると共に該発色表示が左側に向けて順次発色表示するようにすることで、これを見ることによっても現在、売電時なのか買電時であるかが一目で判る。
【００７５】
また、発電情報表示部１にはさらに現在時刻までの当日の総発電量を数値で表示する総発電量数値表示部２４が設けてあり、また、電力消費情報表示部２には現在時刻までの当日の総消費量を数値で表示する総消費量数値表示部２５が設けてあり、上記隣り合った両棒表示３ａ、４ａの差で視覚的に総発電量と総消費量の差を認識すると共に、同時に隣り合った総発電量数値表示部２４、総消費量数値表示部２５に表示された数値によっても総発電量と総消費量を知ることができ、よりいっそうモニターＡの画面を通しての省エネルギーの動機付け効果を発揮できる。
【００７６】
なお、発電・消費画面Ｂ１の左右方向の一端部には消費側のエネルギー機器の一つである電気温水器の稼動状態を示す電気温水器稼動状態表示部２１には消費側のエネルギー機器のひとつである電気温水器（例えばヒートポンプを用いた電気温水器）の稼動状況が表示されるようになっており、当日の給湯量を棒表示と数値により表示すると共に、現在の給湯状態を給湯状態表示アイコン３１により表示するようになっており、給湯時には給湯状態表示アイコン３１が動く動作をし、停止時には給湯状態表示アイコン３１が静止するようになっている。
【００７７】
次に、図４には基本画面Ｂの一つである太陽光モニター画面Ｂ２が示してあり、その日の時間毎の発電量、電力消費量をそれぞれ棒グラフとして表すようになっている。この太陽光モニター画面Ｂ２を表示している時に、過去の発電量、電力消費量の記録や、前日との比較や、月間の発電量、電力消費量の情報を知りたい場合は、太陽光モニター画面Ｂ２に設けた詳細画面切替部４１を操作することで、これらの詳細情報を個別に表示するそれぞれの詳細画面Ｃに切り替え表示できる。
【００７８】
また、図５には基本画面Ｂの一つである消費側のエネルギー機器の一つである電気温水器の稼動状態を表示する電気温水器モニター画面Ｂ３が示してあり、その日の時間毎の電気温水器の稼動状態（使用湯量）を棒グラフで表すようになっている。この電気温水器モニター画面Ｂ３を表示している時に、過去の電気温水器の稼動状態の記録や、前日との比較や、月間の稼動状態の情報を知りたい場合は、電気温水器モニター画面Ｂ３に設けた詳細画面切替部４１を操作することで、これらの詳細情報を個別に表示するそれぞれの詳細画面Ｃに切り替え表示できる。
【００７９】
また、図６には基本画面Ｂの一つである省エネルギーに関する基本情報を表示する省エネナビ画面Ｂ４が示してあり、当日までの今月の毎日の電気代を棒グラフで表示するようになっている。つまり、省エネナビ画面Ｂ４には、横軸が月の初めの１日から月末の末日までの日となり、縦軸が一日の省エネ効果を示す金額となったグラフ表示部５０が設けてあり、該グラフ表示部５０に、その月の一日ごとの電気代を棒グラフを表示するようになっている。
【００８０】
この省エネナビ画面Ｂ４のグラフ表示部５０には今月の一日当たりの省エネ効果を金額に換算した一日当たりの目標電気代を表示する目標ライン５１が表示される。
【００８１】
ここで、過去の省エネ効果の記録や、電力量の表示の詳細情報が知りたい場合や、省エネの目標設定を行うための詳細画面に切り替えたい場合は、省エネナビ画面Ｂ４に設けた詳細画面切替部４１を操作することで、これらの詳細情報を個別に表示するそれぞれの詳細画面Ｃに切り替え表示できるようになっている。
【００８２】
一例を上記省エネナビ画面Ｂ４のグラフ表示部５０に表示される目標ライン５１の設定につき説明する。省エネナビ画面Ｂ４に設けた複数の詳細画面切替部４１のうち目標設定の詳細画面切替部４１を操作して、目標設定の詳細画面Ｃ（図示せず）に切り替えて、この目標設定の詳細画面Ｃにおいて目標設定をすることができる。例えば目標設定の詳細画面Ｃにおいて、月初めにその月の省エネによる目標電気代を設定するものであり、目標電気代を設定すると、その月の目標電気代をその月の日数で割った値が一日当たりの目標電気代として自動的に計算され、このようにして求められたその月の一日当たりの目標電気代が省エネナビ画面Ｂ４において目標ライン５１として自動的に表示される。
【００８３】
そして、省エネナビ画面Ｂ４には一日ごとの省エネ効果を金額に換算して棒グラフが毎日表示され、一日毎に表示される棒グラフにより上記目標ライン５１に達したかどうかが一目で判り、１日ごとの省エネ努力が判る。また同時に月初めから当日までの棒グラフの変遷を見ることで、前日、あるいは前々日……との省エネの比較が一目で判り、省エネに対する強い動機付けを与えることができる。
【００８４】
図７には基本画面Ｂの一つである省エネルギーに関する基本情報を表示する省エネナビ画面Ｂ４の他の実施形態が示してある。
【００８５】
前述の図６のように、月当たりの目標電気代を設定し、この月当たりの目標電気代を単純にその月の日数で割って１日当たりの目標電気代とし、一日ごとの省エネ効果を金額に換算して棒グラフで単に表示するだけでは、意味が無くなる場合がある。
【００８６】
例えば、月の目標を４５０ｋＷｈとした時、平日にあまり使わず、休日によく使う使用パターンの家庭（例えば、平日：１３ｋＷｈ／日×３０日×５／７＝２７９ｋＷｈ、休日：２０ｋＷｈ／日×３０日×２／７＝１７１ｋＷｈ）では、単純な日割り計算だと、４５０ｋＷｈ÷３０日＝１５ｋＷｈとなり、平日では通常の使用量（１３ｋＷｈ）の１０％オーバーしても、日割りの目標を達成し、休日では通常の使用量（２０ｋＷｈ）の１０％節約しても目標を達成できないことになり、一日ごとの省エネ効果を金額に換算して棒グラフだけでは、その日が平日か、休日かがわからないので、無意味な目標となりやすい。
【００８７】
そこで、図７に示す実施形態では、省エネナビ画面Ｂ４のグラフ表示部５０における棒グラフが表示される部分の背景を休日（土、日、祝祭日）に該当する日の部分のみ平日と異なる背景にしてあり（例えば背景の色を平日と休日とで異ならせてあり、図６の実施形態では休日の背景５２を便宜上点描で表している）、省エネナビ画面Ｂ４のグラフ表示部５０を見ることで、表示された棒部ラフを平日単位、休日単位で確認することができる。また、上記のように休日の背景を平日の背景と異ならせることで、休日の背景から次の休日の背景までの間が１週間ということなるので、１週間における棒グラフの変遷が一目で理解でき、また、他の１週間との比較も簡単に理解できる。
【００８８】
また、図７に示す実施形態においては、省エネナビ画面Ｂ４において一日ごとの電気代を棒グラフで毎日表示する際、一日毎に表示される棒グラフが上記目標ライン５１を越えた場合と、目標ラインに達しなかった場合とで、自動的に色分けされて棒グラフが表示されるようになっている。これにより、どの日が目標を越えた日か、あるいは、何日目標を越えた日があるかが一目で理解でき、よりいっそう省エネに対する動機付けが与えられることになる。
【００８９】
なお、図６、図７の省エネナビ画面Ｂ４において「月末の予測値」を表示する予測値表示部５４が設けてあるが、この予測値表示部５４には、今月の初めから現在までの電気使用ベースで行った時の電気代予測値を自動的に算出して毎日表示されるようになっている。
【００９０】
また、図６、図７の省エネナビ画面Ｂ４において現在の達成率表示部５５が設けてあり、この現在の達成率表示部５５には、今月の目標電気代に対する現在までの達成率を数値とアイコンで表示するようになっている。ここで、節約時：０〜１００％節約の場合を緑色で表示し、超過時：１〜１００％超過の場合と１００％を越える超過：大幅超過の場合とを赤で表示するというように、節約時と超過時とで表示の色を変えるようにすることで、より、省エネに対する動機付けを与えることができる。
【００９１】
また、図８は基本画面Ｂの一つである省エネ効果が上がった場合に環境に対して貢献していることをいることを表示する環境貢献画面Ｂ５であって、この環境貢献画面Ｂ５を表示すると、当日、省エネが目標を達成した場合は、省エネを達成したことを画面の全部又は一部が動くことで、例えば、図８の実施形態では「鯨」のアイコンが潮を吹いたり、「象」や「羊」や「ペンギン」等の動物のアイコンが動いたり、あるいは、「やったね」というような文字が表示されることで、省エネルギーを達成して環境に貢献したことを表示するようになっていて、利用者に、省エネの強い動機付けを与えるようになっている。この環境貢献画面Ｂ５において更に画面の設定等の詳細画面Ｃを表示したい場合は、環境貢献画面Ｂ５に設けた詳細画面切替部４１を操作することで、詳細画面Ｃに切り替え表示できる。
【図面の簡単な説明】
【００９２】
【図１】本発明のエネルギー機器稼動状況表示モニターにおいて表示する複数の異なる画面相互の関連を示す構成図である。
【図２】同上のモニターが用いられる太陽光発電システムの概略構成図である。
【図３】同上の基本画面の一つである発電・消費画面である。
【図４】同上の基本画面の一つである太陽光モニター画面である。
【図５】同上の基本画面の一つである電気温水器モニター画面である。
【図６】同上の基本画面の一つである省エネナビ画面である。
【図７】同上の基本画面の一つである省エネナビ画面の他の実施形態を示す図面である。
【図８】同上の基本画面の一つである環境貢献画面である。
【図９】（ａ）乃至（ｈ）は同上のある基本画面から他の基本画面に切り替える際の画面の変化を示す説明図である。
【図１０】本発明のエネルギー機器稼動状況表示モニターにおいて表示する複数の異なる画面相互の関連を示す他の実施形態の構成図である。
【符号の説明】
【００９３】
Ａ  モニター
Ｂ  基本画面
Ｃ  詳細画面
３８  基本画面変更手段
３８ａ  正循環基本画面変更手段
３８ｂ  逆循環基本画面変更手段
４１  詳細画面切替部
【図１】
2008161037.tif 000003
【図２】
2008161037.tif 000004
【図３】
2008161037.tif 000005
【図４】
2008161037.tif 000006
【図５】
2008161037.tif 000007
【図６】
2008161037.tif 000008
【図７】
2008161037.tif 000009
【図８】
2008161037.tif 000010
【図９】
2008161037.tif 000011
【図１０】
2008161037.tif 000012